(57)【要約】  水晶体嚢（Ｃａｐｓｕｌａｒ  Ｓａｃ）内に挿入される眼内レンズにおいて、中心部の厚さが前記中心部周辺の厚さより薄い第１オプテック（Ｏｐｔｉｃ）体及び前記第１オプテック（Ｏｐｔｉｃ）体と結合され、少なくとも中心部での厚さが前記第１オプテック（Ｏｐｔｉｃ）体と同一またはさらに厚い第２オプテック（Ｏｐｔｉｃ）体を含むオプテック（Ｏｐｔｉｃ）部；及び前記オプテック（Ｏｐｔｉｃ）部に連結される連結台と、前記連結台の外周と連結され前記水晶体嚢（Ｃａｐｓｕｌａｒ  Ｓａｃ）内面と接触する第１支持台を含むヘプテック（ＨＡＰＴＩＣ）部を含んで構成されることを特徴とする。
2010520010.tif 000002
【特許請求の範囲】
【請求項１】
水晶体嚢内部に挿入される眼内レンズにおいて、
中心部の厚さが前記中心部周辺の厚さより薄い第１オプテック体及び前記第１オプテック体と結合され、少なくとも中心部での厚さが前記第１オプテック体と同一またはより厚い第２オプテック体を含むオプテック部；及び
前記オプテック部に連結される連結台と、前記連結台の外周と連結して前記水晶体嚢内面と接触する第１支持台を含むヘプテック部を含んで構成されることを特徴とする眼内レンズ。
【請求項２】
前記第１オプテック体が前記第２オプテック体より柔軟な材質になされたことが特徴である、請求項１に記載の眼内レンズ。
【請求項３】
前記第１オプテック体は内面及び外面を含んで、前記内面及び前記外面は球面または非球面であり、前記内面は前記外面より曲率がより大きい球面でありまたはより非球面であることを特徴とする、請求項１に記載の眼内レンズ。
【請求項４】
前記第１支持台が前記水晶体嚢の内面に接触する面は丸い形状を持つことを特徴とする、請求項１に記載の眼内レンズ。
【請求項５】
前記連結台はオプテック部の外周の少なくとも二つ以上の区間で連結された支柱形状構造体であることを特徴とする、請求項１に記載の眼内レンズ。
【請求項６】
前記第１支持台は前記連結台のオプテック部反対側支柱の端部を少なくと二つ以上連結する構造体であることを特徴とする、請求項５に記載の眼内レンズ。
【請求項７】
前記第１支持台は前記連結台のオプテック部反対側支柱の端部を全て連結する環形構造体であることを特徴とする、請求項５に記載の眼内レンズ。
【請求項８】
前記支柱のオプテック部側の端部には前記オプテック部側の端部を連結する第２支持台をさらに設けることを特徴とする、請求項５に記載の眼内レンズ。
【請求項９】
前記支柱の両端部は前記支柱の中央より断面積が大きいことを特徴とする、請求項５に記載の眼内レンズ。
【請求項１０】
前記第２支持台の内面はオプテック部中心に向けて凹んでいる形状であることを特徴とする、請求項８に記載の眼内レンズ。
【請求項１１】
前記第２支持台はオプテック部の外周に連結されたことを特徴とする、請求項８に記載の眼内レンズ。
【請求項１２】
前記第２支持台はオプテック部の内部に挿入されたことを特徴とする、請求項８に記載の眼内レンズ。
【請求項１３】
前記連結台は前記オプテック部外周の全区間において連結されたディスク形状構造体であることを特徴とする、請求項１に記載の眼内レンズ。
【請求項１４】
前記連結台は前記オプテック部の外周の少なくとも二つ以上の区間で連結され、分割されたディスク形状構造体であることを特徴とする、請求項１に記載の眼内レンズ。
【請求項１５】
前記第１支持台はディスク形状の連結台の端部の外周に形成されることを特徴とする、請求項１３または請求項１４に記載の眼内レンズ。
【請求項１６】
前記オプテック部及び前記第１支持台は前記連結台より柔軟な材料でなされたことを特徴とする、請求項１に記載の眼内レンズ。
【請求項１７】
前記オプテック部及び前記第１支持台が前記連結台と同様な材料でなされ、前記連結台よりさらに薄い厚さで構成されることが特徴である、請求項１に記載の眼内レンズ。
【請求項１８】
前記第１支持台は前記連結台の端部に沿って延長される構造体であり、前記水晶体嚢の内面と少なくとも一点で接触する第１面と、前記第１面の反対面である第２面を有し、
前記第１支持台を水晶体の視軸方向（Ｙ方向）の仮想平面に沿って切断した断面において、
前記第１面は前記水晶体嚢の外面に毛樣小帶が連結された領域の長さ（ｄ５）の３／４倍〜３倍の長さで設けられることを特徴とする、請求項１に記載の眼内レンズ。
【請求項１９】
前記第１面は前記第２面よりさらに柔軟性のある材質で構成されることを特徴とする、請求項１８に記載の眼内レンズ。
【請求項２０】
前記第１面と前記第２面の材質が同一であり、前記第１面が前記第２面よりさらに薄く構成されることを特徴とする、請求項１８に記載の眼内レンズ。
【請求項２１】
前記第１面と前記第２面は同一の材質及び同一の厚さで構成されることを特徴とする、請求項１８に記載の眼内レンズ。
【請求項２２】
前記第１面の表面は他の部分の表面より粗さが大きいことを特徴とする、請求項１８に記載の眼内レンズ。
【請求項２３】
前記第１面の表面には前記水晶体嚢への装着を容易にする装着材がさらに含まれたことを特徴とする、請求項１８に記載の眼内レンズ。
【請求項２４】
前記装着材は組織グルーまたはグルーであることを特徴とする、請求項２３に記載の眼内レンズ。
【請求項２５】
前記眼内レンズの内には流動空間が設けられることを特徴とする、請求項１に記載の眼内レンズ。
【請求項２６】
前記流動空間は少なくとも前記第１オプテック体と前記第２オプテック体との間に設けられることを特徴とする、請求項２５に記載の眼内レンズ。
【請求項２７】
前記流動空間は前記第１オプテック体と前記第２オプテック体との間に設けられる第１空間部、前記連結台の内部に設けられる第２空間部、及び前記第１支持台内部に設けられる第３空間部を含むことを特徴とする、請求項２５に記載の眼内レンズ。
【請求項２８】
前記第１空間部、前記第２空間部及び前記第３空間部はお互いに連結されたことを特徴とする、請求項２７に記載の眼内レンズ。
【請求項２９】
前記流動空間には液体、気体及び流動性固体で構成される群から選ばれるいずれか一つが充填されることを特徴とする、請求項２７に記載の眼内レンズ。
【請求項３０】
前記液体は水、シリコーン、ヒアルロン酸ナトリウム、コーンドロイチン硫酸、ヒドロキシプロピルメチルセルロース及びポリアクリルアミドよりなる群から選ばれるいずれか一つであることを特徴とする、請求項２９に記載の眼内レンズ。
【請求項３１】
前記気体は空気、窒素、ヘリウム、ネオン及びアルゴンで構成される群から選ばれるいずれか一つであることを特徴とする、請求項２９に記載の眼内レンズ。
【請求項３２】
前記第１面及び前記第２面の中、少なくとも第１面は前記第２面から前記第１面に向ける方向に膨らんでいることを特徴とする、請求項１８に記載の眼内レンズ。
【請求項３３】
前記第１面は水晶体嚢の前嚢と後嚢にそれぞれ対応する区間であり、赤道により区分される前面部と後面部を有し、
前記前面部の曲率は後面部の曲率よりさらに大きいことを特徴とする、請求項１８に記載の眼内レンズ。
【請求項３４】
前記眼内レンズの水晶体の視軸方向（Ｙ方向）の仮想平面に沿って切断された断面において、前記第１支持台の第１面の、赤道から前記前面部の終点までの延長長さ（ｄ１）及び赤道から前記後面部の終点までの延長長さ（ｄ２）は１ｍｍ〜４．２ｍｍであることを特徴とする、請求項１８に記載の眼内レンズ。
【請求項３５】
前記赤道から前記前面部の終点までの延長長さ（ｄ１）は前記赤道から後面部の終点までの延長長さ（ｄ２）より短いことを特徴とする、請求項３４に記載の眼内レンズ。
【請求項３６】
前記眼内レンズの水晶体の視軸方向（Ｙ方向）の仮想平面に沿って切断した断面において、前記第１支持台の第１面の断面形状は、接触する前記水晶体嚢の内面と一致することを特徴とする、請求項１９に記載の眼内レンズ。
【請求項３７】
前記第１空間部は少なくとも一面が膨らんでいることを特徴とする、請求項２７に記載の眼内レンズ。
【請求項３８】
前記第１空間部は少なくとも一面が非球面であることを特徴とする請求項３７に記載の眼内レンズ。
【請求項３９】
前記第２オプテック体は中心部の厚さが周辺の厚さより薄いことを特徴とする、請求項２６に記載の眼内レンズ。
【請求項４０】
前記第２オプテック体は内面及び外面を含み、前記内面及び前記外面は球面または非球面であり、前記内面は前記外面よりさらに曲率が大きい球面であり、あるいはさらに非球面であることを特徴とする、請求項２６に記載の眼内レンズ。
【請求項４１】
前記第１オプテック体及び第２オプテック体は厚さにおいて同一な厚さであり、それぞれの中心部から周辺に行くほど厚くなる区間を含むことを特徴とする、請求項２６に記載の眼内レンズ。
【請求項４２】
前記眼内レンズの材料はシリコーン、シリコーンエラストマ、シリコーン  ポリマー、ポリジメチルシロキサン、ポリプロピレン、ポリイミド、ポリブテステル、ＰＭＭＡ（ｐｏｌｙｍｅｔｈｙｌ  ｍｅｔｈａｃｒｙｌａｔｅ）、マイクロプレクス  ＰＭＭＡ、ＣＱ−ＵＶ  ＰＭＭＡ、アクリル樹脂、硬性アクリル、柔軟性アクリル、アクリルプラスチック、疎水性アクリル、親水性アクリル、親水性アクリル高分子、紫外線吸収アクリレート、メタクリレートコポリマー、ブチルアクリレート、ポリシロキサンエラストマー、紫外線吸収ポリシロキサン、コラーゲンコポリマー、金、ヒドロゲル、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル、紫外線吸収ポリＨＥＭＡヒドロゲル、シリコーンヒドロゲル、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣよりなる群から選ばれるいずれか一つで構成されることを特徴とする、請求項１に記載の眼内レンズ。
【請求項４３】
前記第１オプテック体は中心部から周辺に行くほど厚くなる区間を含むことを特徴とする、請求項１に記載の眼内レンズ。
【請求項４４】
前記第２オプテック体は中心部から周辺に行くほど厚くなる区間を含むことを特徴とする、請求項３９に記載の眼内レンズ。
【発明の詳細な説明】
【技術分野】
【０００１】
本発明は眼内レンズに係り、より詳しくは水晶体嚢（Ｃａｐｓｕｌａｒ  Ｓａｃ）内に備えられる眼内レンズに関することである。
【背景技術】
【０００２】
水晶体に異常がある眼科的疾病、例えば白内障などの治療方法として、水晶体嚢（Ｃａｐｓｕｌａｒ  Ｓａｃ）内部にある水晶体（ｌｅｎｓ）の内容物を除去し、その空間に人工で製造した眼内レンズ（ｉｎｔｒａｏｃｕｌａｒ  ｌｅｎｓ）を挿入する手術が現在全世界的に多く施行されている。
【０００３】
眼内レンズを挿入する場合、眼内レンズは天然水晶体の代わりに患者に混濁のない視野を提供することができる。ところが、眼内レンズはいろいろの利点にも拘らず眼内レンズが挿入された後、眼内レンズが挿入された水晶体嚢（Ｃａｐｓｕｌａｒ  Ｓａｃ）が手術の後に収縮するという問題点を持つ。
【０００４】
したがって、最近では眼内レンズの挿入前に水晶体嚢（Ｃａｐｓｕｌａｒ  Ｓａｃ）の赤道領域に水晶体嚢テンションリング（ｃａｐｓｕｌａｒ  ｔｅｎｔｉｏｎ  ｒｉｎｇ）を挿入し、水晶体嚢テンションリング（ｃａｐｓｕｌａｒ  ｔｅｎｔｉｏｎ  ｒｉｎｇ）に眼内レンズを固定させる方法が多く用いられている。
【０００５】
水晶体嚢テンションリング（ｃａｐｓｕｌａｒ  ｔｅｎｔｉｏｎ  ｒｉｎｇ）は開放または閉鎖された環状体であって、水晶体嚢（Ｃａｐｓｕｌａｒ  Ｓａｃ）の収縮を一部緩和し、水晶体レンズの除去された水晶体嚢（Ｃａｐｓｕｌａｒ  Ｓａｃ）の形状を一部維持するうえ、挿入された眼内レンズを容易に支持するという効果がある。
【０００６】
現在、水晶体嚢テンションリング（ｃａｐｓｕｌａｒ  ｔｅｎｔｉｏｎ  ｒｉｎｇ）をさらに效率よく利用するために、水晶体嚢テンションリング（  ｃａｐｓｕｌａｒ  ｔｅｎｔｉｏｎ  ｒｉｎｇ）の挿入を容易にする構造や、後嚢の混濁を防止するための構造等に関する研究が行われている。
【０００７】
ところが、従来の眼内レンズ挿入施術におけるより大きい問題点は手術の後、水晶体嚢（Ｃａｐｓｕｌａｒ  Ｓａｃ）の前嚢と後嚢とがお互いに付着し合って、毛樣小帶（Ｚｏｎｕｌｅ  ｏｆ  Ｚｉｎｎ）の弛緩と収縮を伝達して水晶体の厚さを調節する本来の機能を失ってしまうことである。
【０００８】
すなわち、手術の後、患者の目は見ようとする物体に応じて能動的な３次元運動をして視野を確保するのではなく、眼内レンズで定められる度数による受動的な視野を確保するという問題点を持つ。
【０００９】
以下、添付図面を参照して、従来の技術に係る眼内レンズ挿入施術の問題点について説明する。
【００１０】
図１は人間の眼球を示す断面図、図２は天然水晶体の構造を説明するための断面図である。図１と図２を参照すると、角膜（１０、Ｃｏｒｎｅａ）は目の最も外側にある透明な無血管組織であって、眼球を保護し、水晶体と共に光の屈折を担当する。紅彩（２０、Ｉｒｉｓ）は目に入射する光の量を調節してカメラの絞りと同様の役割を担当する。また、瞳孔（３０、Ｐｕｐｉｌ）は紅彩（２０）の中央に開いている孔であって、明るい光の下では大きさが縮小し、暗い所では大きさが拡大することにより、網膜（４０）に入りこむ光の量を調節する。
【００１１】
水晶体（５０、ｌｅｎｓ）は凸レンズ状の両面を有し、無血管で無色透明な構造物であって、紅彩（２０）の後ろに位置する。水晶体（５０、ｌｅｎｓ）は角膜（１０）と共に目に入射する光の屈折を担当する器官である。水晶体（５０、ｌｅｎｓ）の形状は、毛様体筋（６０）及びこれに連結された毛樣小帶（７０）の収縮及び弛緩によって変化する。
【００１２】
老眼は年を取るにつれて水晶体（５０）の硬さが毎年増加し、毛様体筋（６０）が収縮しても水晶体（５０）の形状が変わらなくなった状態である。白内障は、年を取るにつれて水晶体（５０）が混濁になる疾病である。
【００１３】
水晶体（５０）は水晶体嚢（Ｃａｐｓｕｌａｒ  Ｓａｃ）（８０）内に挿入されている。水晶体嚢（Ｃａｐｓｕｌａｒ  Ｓａｃ）（８０）は前嚢（８０ａ、ａｎｔｅｒｉｏｒ  ｃａｐｓｕｌｅ）と後嚢（８０ｂ、ｐｏｓｔｅｒｉｏｒ  ｃａｐｓｕｌｅ）からなり、それぞれ水晶体（５０）の前方面（５１）と後方面（５５）に接する。この際、水晶体（５０）の前方面（５１）と後方面（５５）は赤道（Ｅ）でお互いに連結される。各前方面（５１）と後方面（５５）は赤道（Ｅ）からの距離によって中央部（ａ）と赤道部（ｂ）に区分される。前方面（５１）の中央部（ａ）は後方面（５５）の中央部（ａ）より曲率が小さく、前方面（５１）の赤道部（ｂ）は後方面（５５）の赤道部（ｂ）より曲率が大きいという特徴がある。
【００１４】
水晶体嚢（Ｃａｐｓｕｌａｒ  Ｓａｃ）（８０）の縁部に沿って毛樣小帶（７０）が連結される。毛樣小帶（７０）は  毛様体筋（６０）と水晶体嚢（Ｃａｐｓｕｌａｒ  Ｓａｃ）（８０）をお互いに連結する一種の繊維組織であって、水晶体嚢（Ｃａｐｓｕｌａｒ  Ｓａｃ）（８０）の前嚢（８０ａ）と後嚢（８０ｂ）とが出会う赤道部の中央に連結される第１小帯と赤道部の周辺に連結される第２小帯とから構成される。
【００１５】
図３及び図４はそれぞれ遠距離と近距離を注視する時の毛樣小帶、水晶体及び水晶体嚢（Ｃａｐｓｕｌａｒ  Ｓａｃ）の作用を説明するための説明図である。本明細書において、Ｙ方向は水晶体の視軸方向、Ｘ方向は水晶体の赤道方向をそれぞれ意味する。水晶体の視軸方向は瞳孔を介して水晶体（５０）に光が入射する方向であり、水晶体の赤道方向は視軸方向に対して垂直な方向であって、前嚢と後嚢とが出会う地点を連結する方向である。
【００１６】
遠距離を注視するときには、毛樣小帶（７０）のうち  水晶体嚢（Ｃａｐｓｕｌａｒ  Ｓａｃ）（８０）の赤道部の中央に連結される第１小帯（７３）はぴんと張っており、水晶体嚢（Ｃａｐｓｕｌａｒ  Ｓａｃ）（８０）の赤道部の周辺に連結される第２小帯（７１）は緩んでいる。これにより、水晶体嚢（Ｃａｐｓｕｌａｒ  Ｓａｃ）（８０）が水晶体（５０）のＸ方向に伸び、内部に位置した水晶体（５０）も同じ方向に伸びる。
【００１７】
近距離を注視する時には毛樣小帶（７０）のうち水晶体嚢（Ｃａｐｓｕｌａｒ  Ｓａｃ）（８０）の赤道部の中央に連結される第１小帯（７３）は緩んでおり、水晶体嚢（Ｃａｐｓｕｌａｒ  Ｓａｃ）（８０）の赤道部の周辺に連結される第２小帯（７１）はぴんと張っている。これにより、水晶体嚢（Ｃａｐｓｕｌａｒ  Ｓａｃ）（８０）が水晶体（５０）のＹ方向に膨らみ、内部に位置した水晶体（５０）も同じ方向で伸びる。上述したように、天然水晶体を内部に持つ水晶体嚢（Ｃａｐｓｕｌａｒ  Ｓａｃ）（８０）は毛樣小帶（７０）に連結され、能動的で天然水晶体の形状を変形させることに関与するが、従来の技術に係る眼内レンズ及び水晶体嚢テンションリング（ｃａｐｓｕｌａｒ  ｔｅｎｔｉｏｎ  ｒｉｎｇ）を使用する場合、水晶体嚢（Ｃａｐｓｕｌａｒ  Ｓａｃ）は収縮してその機能を実質的に失ってしまう。
【００１８】
特に、毛樣小帶と連結されて水晶体の形状変形に関与する毛様体筋は、死亡時まで疲れずに機能を維持する内臓筋であって、水晶体の損傷があっても毛様体筋の能力は損傷しないという点に鑑みて、健康な毛様体筋の能力を人為的に消滅させる従来方式の改善が切実に求められる。
【００１９】
一方、従来の眼内レンズ及び水晶体嚢テンションリング（ｃａｐｓｕｌａｒ  ｔｅｎｔｉｏｎ  ｒｉｎｇ）は、特許文献１、特許文献２及び特許文献３などの多数の文献に開示されている。
【先行技術文献】
【特許文献】
【００２０】
【特許文献１】米国特許公開番号  第２００６−０２４４９０４号
【特許文献２】米国特許公開番号  第２００６−０００１１８６号
【特許文献３】米国特許公開番号  第２００３−０１４９４７９号
【発明の開示】
【発明が解決しようとする課題】
【００２１】
本発明は、上述した問題点を解決するためのもので、その目的とするところは眼内レンズが天然水晶体の動作と類似な動きを持つように構成される眼内レンズを提供することにある。
【課題を解決するための手段】
【００２２】
上記目的を達成するために、本発明によれば、水晶体嚢（Ｃａｐｓｕｌａｒ  Ｓａｃ）内部に挿入される眼内レンズにおいて、中心部の厚さが前記中心部の周辺の厚さより薄い第１オプテック（Ｏｐｔｉｃ）体及び前記第１オプテック（Ｏｐｔｉｃ）体と結合され少なくとも中心部において厚さが前記第１オプテック（Ｏｐｔｉｃ）体と同じまたはより厚い第２オプテック（Ｏｐｔｉｃ）体を含むオプテック（Ｏｐｔｉｃ）部；及び前記オプテック（Ｏｐｔｉｃ）部に繋がれる連結台と、前記連結台の外周と繋がれ前記水晶体嚢（Ｃａｐｓｕｌａｒ  Ｓａｃ）内面と接する第１支持台を含むヘプテック（Ｈａｐｔｉｃ）部とを含んで構成されるということを特徴とする。
【００２３】
この際、前記第１オプテック（Ｏｐｔｉｃ）体は前記第２オプテック（Ｏｐｔｉｃ）体より柔軟な材質であってもよい。
【００２４】
また、前記第１オプテック（Ｏｐｔｉｃ）体は内面及び外面を含んで、前記内面及び前記外面は球面または非球面でもよく、前記内面は前記外面より曲率が大きい球面であるかより非球面であることが好ましい。
【００２５】
また、前記第１支持台が前記水晶体嚢（Ｃａｐｓｕｌａｒ  Ｓａｃ）の内面に接触する面は丸い形状であることが好ましい。
【００２６】
また、前記連結台はオプテック（Ｏｐｔｉｃ）部の外周の少なくとも二つ以上の区間において繋がれた支柱形状構造体であることが好ましい。
【００２７】
また、前記第１支持台は前記連結台のオプテック（Ｏｐｔｉｃ）部の反対側支柱端部を少なくとも二つ以上連結する構造体であることが好ましい。
【００２８】
また、前記第１支持台は前記連結台のオプテック（Ｏｐｔｉｃ）部の反対側支柱の端部を全て連結する環形構造体であることが好ましい。
【００２９】
また、前記支柱のオプテック（Ｏｐｔｉｃ）部側の端部には前記オプテック（Ｏｐｔｉｃ）部側の端部を連結する第２支持台をさらに設けることが好ましい。
【００３０】
また、前記支柱の両端部は前記支柱の中央より断面積が大きいことが好ましい。
【００３１】
また、前記第２支持台の内面はオプテック（Ｏｐｔｉｃ）部中心に向けて凹んでいる形状であることが好ましい。
【００３２】
また、前記第２支持台はオプテック（Ｏｐｔｉｃ）部の外周に連結することができる。
【００３３】
また、前記第２支持台はオプテック（Ｏｐｔｉｃ）部の内部に挿入されたことが好ましい。
【００３４】
また、前記連結台は前記オプテック（Ｏｐｔｉｃ）部外周の全区間において繋がっているディスク形状の構造体であることが好ましい。
【００３５】
また、前記連結台は前記オプテック（Ｏｐｔｉｃ）部の外周が少なくとも二つ以上の区間において繋がれ、分割されたディスク形状構造体であることが好ましい。
【００３６】
また、前記第１支持台はディスク形状の連結台の端部の外周に形成されもよい。
【００３７】
また、前記オプテック（Ｏｐｔｉｃ）部と前記第１支持台は前記連結台よりさらに柔軟な材料で構成されてもよい。
【００３８】
また、前記オプテック（Ｏｐｔｉｃ）部と前記第１支持台は前記連結台のような材料で成され、前記連結台よりさらに薄い厚さで構成されてもよい。
【００３９】
また、前記第１支持台は前記連結台の端部に沿って延長される構造体であって、前記水晶体嚢（Ｃａｐｓｕｌａｒ  Ｓａｃ）の内面と少なくとも１点で接触する第１面と、前記第１面の反対面である第２面を有し、前記第１支持台を水晶体の視軸方向（Ｙ方向）の仮想平面に沿って切断した断面において、前記第１面は前記水晶体嚢（Ｃａｐｓｕｌａｒ  Ｓａｃ）の外面に毛樣小帶が連結された領域の長さ（ｄ５）の３／４倍〜３倍の長さで設けられることができる。
【００４０】
また、前記第１面は前記第２面より柔軟性のある材質で構成されてもよい。
【００４１】
また、前記第１面と前記第２面の材質が同一であり、前記第１面が前記第２面よりさらに薄く構成されることができる。
【００４２】
また、前記第１面と前記第２面とは同一の材質及び同一の厚さで構成されることができる。
【００４３】
また、前記第１面の表面は他の部分の表面より粗さが大きく構成されることができる。
【００４４】
また、前記第１面の表面には前記水晶体嚢（Ｃａｐｓｕｌａｒ  Ｓａｃ）への装着を容易にする装着材がさらに含まれることができる。
【００４５】
また、前記装着材は組織グルー（Ｔｉｓｓｕｅ  Ｇｌｕｅ）またはグルー（Ｇｌｕｅ）であることが好ましい。
【００４６】
また、前記眼内レンズの内には流動空間が設けられることが好ましい。
【００４７】
また、前記流動空間は少なくとも前記第１オプテック（Ｏｐｔｉｃ）体と前記第２オプテック（Ｏｐｔｉｃ）体との間には設けられることが好ましい。
【００４８】
また、前記流動空間は前記第１オプテック（Ｏｐｔｉｃ）体と前記第２オプテック（Ｏｐｔｉｃ）体との間に設けられる第１空間部、前記連結台の内部に設けられる第２空間部、及び前記第１支持台内部に設けられる第３空間部を含むことが好ましい。
【００４９】
また、前記第１空間部、前記第２空間部及び前記第３空間部はお互い繋がれてもよい。
【００５０】
また、前記流動空間には液体、気体及び流動性固体よりなる群から選ばれるいずれか一つが充填されることが好ましい。
【００５１】
また、前記液体は水、シリコーン、ヒアルロン酸ナトリウム（Ｓｏｄｉｕｍ  ｈｙａｌｕｒｏｎａｔｅ）、コーンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）よりなる群から選ばれるいずれか一つであることが好ましい。
【００５２】
また、前記気体は空気、窒素、ヘリウム、ネオン及びアルゴンよりなる群から選ばれるいずれか一つであることが好ましい。
【００５３】
また、前記第１面及び前記第２面の中、少なくとも第１面は前記第２面から前記第１面に向かう方向に膨らんでいることが好ましい。
【００５４】
また、前記第１面は水晶体嚢（Ｃａｐｓｕｌａｒ  Ｓａｃ）の前嚢と後嚢にそれぞれ対応する区間であって、赤道によって区分される前面部と後面部を含み、前記前面部の曲率は後面部の曲率よりさらに大きいことが好ましい。
【００５５】
また、前記眼内レンズの水晶体視軸方向（Ｙ方向）の仮想平面に沿って切断された前記第１支持台の第１面の断面形状において、赤道から前記前面部の終点までの延長長さ（ｄ１）及び赤道から前記後面部の終点までの延長長さ（ｄ２）は１ｍｍ〜４．２ｍｍであることのが好ましい。
【００５６】
また、前記赤道から前記前面部の終点までの延長長さ（ｄ１）は、前記赤道から後面部の終点までの延長長さ（ｄ２）より短いことが好ましい。
【００５７】
また、前記眼内レンズの水晶体視軸方向（Ｙ方向）の仮想平面に沿って切断した前記第１支持台の第１面の断面形状は、接触する前記水晶体嚢（Ｃａｐｓｕｌａｒ  Ｓａｃ）の内面と一致することが好ましい。
【００５８】
また、前記第１空間部は少なくとも一面が膨らんでいる凸レンズ形状に形成されることが好ましい。
【００５９】
また、前記第１空間部は少なくとも一面が非球面である非球面凸レンズ  形状に形成されることが好ましい。
【００６０】
また、前記第２オプテック（Ｏｐｔｉｃ）体は中心部から赤道部に行くほど厚くなることが好ましい。
【００６１】
また、前記第２オプテック（Ｏｐｔｉｃ）体は内面及び外面を含んで、前記内面及び前記外面は球面または非球面であって、前記内面は前記外面よりさらに曲率が大きい球面またはさらに非球面であることが好ましい。
【００６２】
また、前記第１オプテック（Ｏｐｔｉｃ）体と第２オプテック（Ｏｐｔｉｃ）体は同一な厚さで中心部から赤道部に行くほど厚くなることが好ましい。
【００６３】
また、前記眼内レンズの材料はシリコーン（Ｓｉｌｉｃｏｎｅ）、シリコーンエラストマ（Ｓｉｌｉｃｏｎｅ  ｅｌａｓｔｏｍｅｒ）、シリコーン  ポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙｂｕｔｅｓｔｅｒ）、ＰＭＭＡ（ｐｏｌｙｍｅｔｈｙｌ  ｍｅｔｈａｃｒｙｌａｔｅ  ）、マイクロプレクス  ＰＭＭＡ（Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、柔軟性アクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、  親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（ｂｕｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ  ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣよりなる群から選ばれるいずれか一つで構成されることが好ましい。
【００６４】
また、前記第１オプテック（Ｏｐｔｉｃ）体は中心部から周辺に行くほど厚くなる区間を含むことが好ましい。
【発明の効果】
【００６５】
本発明に係る眼内レンズは毛様体筋から発生して、毛樣小帶及び水晶体嚢（Ｃａｐｓｕｌａｒ  Ｓａｃ）を介てし伝達される力を、水晶体嚢（Ｃａｐｓｕｌａｒ  Ｓａｃ）内部に挿入される眼内レンズに伝達することになり、眼内レンズが天然水晶体レンズと同様に動作することを可能にするという効果がある。
【００６６】
したがって、本発明に係る眼内レンズは白内障、老眼、高度近視などを治療するための眼内レンズ挿入手術に適用できる。
【図面の簡単な説明】
【００６７】
【図１】人間の眼球を示す断面図である。
【図２】天然水晶体の構造を説明する断面図である。
【図３】遠距離を注視する場合、毛樣小帶、水晶体の相互作用を説明するための説明図である。
【図４】近距離を注視する場合、毛樣小帶、水晶体の相互作用を説明するための説明図である。
【図５】本発明の第１実施例に係る眼内レンズの斜視図である。
【図６】図１のＩ−Ｉ’線に沿った断面図である。
【図７】本発明の第１実施例によって遠距離を注視する時の毛樣小帶、眼内レンズ及び水晶体嚢（Ｃａｐｓｕｌａｒ  Ｓａｃ）の作用を説明するための説明図である。
【図８】本発明の第１実施例によって近距離を注視する時の毛樣小帶、眼内レンズ及び水晶体嚢（Ｃａｐｓｕｌａｒ  Ｓａｃ）の作用を説明するための説明図である。
【図９】本発明の第２実施例に係る眼内レンズの斜視図である。
【図１０】図９のＩ−Ｉ’線に沿った断面図である。
【図１１】本発明の第２実施例に係る眼内レンズの変形例を示す眼内レンズの斜視図である。
【図１２】本発明の第３実施例に係る眼内レンズの断面図である。
【図１３】本発明の第３実施例によって遠距離を注視する時の毛樣小帶、眼内レンズ及び水晶体嚢（Ｃａｐｓｕｌａｒ  Ｓａｃ）の作用を説明するための説明図である。
【図１４】本発明の第３実施例によって近距離を注視する時の毛樣小帶、眼内レンズ及び水晶体嚢（Ｃａｐｓｕｌａｒ  Ｓａｃ）の作用を説明するための説明図である。
【図１５】本発明の第４実施例に係る眼内レンズを示す眼内レンズの斜視図である。
【図１６】本発明の第５実施例に係る眼内レンズを示す眼内レンズの斜視図である。
【図１７】本発明の第６実施例に係る眼内レンズを示す眼内レンズの斜視図及び水晶体の視軸方向の仮想平面に沿った断面図である。
【図１８】本発明の第６実施例に係る眼内レンズを示す眼内レンズの斜視図及び水晶体の視軸方向の仮想平面に沿った断面図である。
【図１９】本発明の第６実施例に係る眼内レンズを示す眼内レンズの斜視図及び水晶体の視軸方向の仮想平面に沿った断面図である。
【図２０】図１７の実施例に係る眼内レンズの水晶体の赤道方向の仮想平面に沿った断面図である。
【発明を実施するための形態】
【００６８】
以下に添付図面を参照しながら、本発明の好適な実施例をついて詳細に説明する。
【００６９】
図５は本発明の一側面に沿った眼内レンズ（Ｉｎｔｒａｏｃｕｌａｒ  Ｌｅｎｓ；ＩＯＬ）の実施例を示す斜視図であり、図６は図５のＩ−Ｉ’線に沿った断面図である。
【００７０】
これによれば、眼内レンズ（１１０）は水晶体嚢（Ｃａｐｓｕｌａｒ  Ｓａｃ）内部に挿入される人工レンズであり、本実施例の眼内レンズ（１１０）はオプテック（Ｏｐｔｉｃ）（１２１）部とヘプテック（Ｈａｐｔｉｃ）部（１２３）に分ける。
【００７１】
オプテック（Ｏｐｔｉｃ）部（１２１）はハードレンズの中、眼の瞳孔の後に位する天然水晶体のレンズの役割を遂行する部分であり、主に凸レンズ形状（ただ、一部の超高度近視患者では凹レンズ形状）を有する。
【００７２】
オプテック（Ｏｐｔｉｃ）部（１２１）は中心部から周辺部に行くほど厚くなる第１オプテック（Ｏｐｔｉｃ）体（１２１ａ）、及び第１オプテック（Ｏｐｔｉｃ）体（１２１ａ）と結合され中心部において厚さが前記第１オプテック（Ｏｐｔｉｃ）Ｃ体（１２１ａ）より同一またはさらに厚い第２オプテック（Ｏｐｔｉｃ）体（１２１ｂ）を含む。
【００７３】
この際、前記第１オプテック（Ｏｐｔｉｃ）体（１２１ａ）の外面よりは内面がさらに曲率が大きい球面またはさらに非球面であることが好ましい。
【００７４】
また、第１オプテック（Ｏｐｔｉｃ）体（１２１ａ）及び第２オプテック（Ｏｐｔｉｃ）体（１２１ｂ）の膨らみの程度（Ｃｏｎｖｅｘｉｔｙ）は異なることができる。すなわち、人間の水晶体の前方面及び後方面のようにお互いに異なることができ、前面の曲率が背面の曲率より小さなことが好ましい。
【００７５】
一方、オプテック（Ｏｐｔｉｃ）部（１２１）の形状は限定されないが、通常凸レンズ形状に設けられることが好ましく、この場合、オプテック（Ｏｐｔｉｃ）部（１２１）の直径は全体眼内レンズ（１１０）の直径の０．２〜０．８倍に構成できる。
【００７６】
オプテック（Ｏｐｔｉｃ）部（１２１）を第１オプテック（Ｏｐｔｉｃ）体（１２１ａ）と第２オプテック（Ｏｐｔｉｃ）体（１２１ｂ）の二つの切れで構成することはオプテック（Ｏｐｔｉｃ）部（１２１）の形状変形をより容易くするためである。
【００７７】
第１オプテック（Ｏｐｔｉｃ）体（１２１ａ）の厚さ（Ｌ１）は水晶体の視軸方向（Ｙ方向）の仮想平面を沿って切断した断面において、前記第２オプテック（Ｏｐｔｉｃ）体（１２１ｂ）の厚さ（Ｌ２）より薄い。これは後述のようにオプテック（Ｏｐｔｉｃ）部（１２１）に機械的または流体的な力が伝達される場合、実際の水晶体において前面の形状変形がさらに多いことのように、第１オプテック（Ｏｐｔｉｃ）体（１２１ａ）の形状変形が第２オプテック（Ｏｐｔｉｃ）体（１２１ｂ）よりもっと誘導されるようにするためである。
【００７８】
また、第１オプテック（Ｏｐｔｉｃ）体（１２１ａ）とは異なる第２オプテック（Ｏｐｔｉｃ）体（１２１ｂ）の厚さ（Ｌ２）は、後述する機械式では中心部がより厚いことが有利であるが、後述する流圧式への機能を高め、中心部に裏表面が非球面になった流動空間を確保すれば、中心部から周辺部に行くほど厚くなるようにすることが好ましい。これも、天然水晶体の構造を取ったことであり、オプテック（Ｏｐｔｉｃ）部の中央部が周辺部より形状変形を容易にし、さらに天然水晶体と類似しているように機能するためである。
【００７９】
ヘプテック（ＨＡＰＴＩＣ）部（１２３）はオプテック（Ｏｐｔｉｃ）部（１２１）の縁部から連結され、ヘプテック（ＨＡＰＴＩＣ）部（１２３）は複数の支柱（１２２）を有する。ヘプテック（ＨＡＰＴＩＣ）部（１２３）の支柱（１２２）は少なくとも二つ以上が設けられ伝達される力を釣り合うように眼内レンズ（１１０）に伝達できるようする。本実施例においては支柱（１２２）のオプテック（Ｏｐｔｉｃ）部反対側の断部（１２２ｂ）に水晶体嚢（Ｃａｐｓｕｌａｒ  Ｓａｃ）内面（または眼内レンズ支持体が設けられる場合、その内面、以下から水晶体嚢（Ｃａｐｓｕｌａｒ  Ｓａｃ）内面であるとすることは眼内レンズ支持体のその内面を含む）と接触する支持台（１２５）をさらに設ける。支持台は支柱（１２２）の断部（１２２ｂ）においてそれぞれ延長される第１面（１１１）と第２面（１１３）を含む。
【００８０】
第１面（１１１）は水晶体嚢（Ｃａｐｓｕｌａｒ  Ｓａｃ）の赤道部に少なくとも１点以上で接するようになり、第２面（１１３）は第１面（１１１）と対向して形成され、各支柱（１２２）のオプテック（Ｏｐｔｉｃ）部反対側の断部（１２２ｂ）に連結される。この際、少なくとも第１面（１１１）は、第２面（１１３）から前記第１面（１１１）に向ける方向、すなわち水晶体嚢（Ｃａｐｓｕｌａｒ  Ｓａｃ）内部から外部に向ける方向であり、膨らんでいる。
【００８１】
また、第１面（１１１）は水晶体嚢（Ｃａｐｓｕｌａｒ  Ｓａｃ）の前嚢と後嚢にそれぞれ対応し、赤道（Ｅ）により区分される前面部（１１１ａ）と後面部（１１１ｂ）を有する。
【００８２】
この際、眼内レンズ（１１０）のオプテック（Ｏｐｔｉｃ）部を水晶体の視軸方向（Ｙ方向）の仮想平面を沿って切断した断面において、第１面（１１１）の前面部（１１１ａ）は後面部（１１１ｂ）より大きい曲率を有する。これは第１面（１１１）の水晶体の視軸方向（Ｙ方向）の仮想平面に沿って切断した断面が天然水晶体レンズの赤道部断面形状と同一の形状を持つようにするためであり、前述したように、水晶体中央部の前方面は後方面より小さい曲率を持っているが赤道部に接近しながら曲率が変わる形状だからである。より好ましく、第１面（１１１）は手術患者固有の水晶体の断面形状と同様に形成される。手術前患者の水晶体の断面形状は超音波映像、ＣＴ及びＭＲＩ等に撮影することができ、第１面（１１１）の断面形状は散瞳時と縮瞳時の中間程度の断面形状、または３〜４ｍｍの瞳孔サイズ時の水晶体の断面形状と一致する形状を持つことができる。
【００８３】
したがって、第１面（１１１）は水晶体嚢（Ｃａｐｓｕｌａｒ  Ｓａｃ）の内面と形状がお互いに一致する。
【００８４】
水晶体の視軸方向（Ｙ方向）の仮想平面を沿って切断された断面において、第１面（１１１）は水晶体嚢（Ｃａｐｓｕｌａｒ  Ｓａｃ）の外面に毛樣小帶が連結された領域の断面の長さ（ｄ５、図７参照）の３／４倍〜３倍の長さで設けられることが好ましい。３／４倍より小さい場合には毛樣小帶の動きに従って眼内レンズに伝達される力を效率よく伝達することができず、３倍より大きい場合には、眼内レンズのオプテック（Ｏｐｔｉｃ）部を遮るおそれがある。
【００８５】
より好ましく、眼内レンズ（１１０）の水晶体の視軸方向（Ｙ方向）の仮想平面に沿って切断された断面において、赤道（Ｅ）から前面部（１１１ａ）の終点までの延長長さ（ｄ１）及び赤道から後面部（１１１ｂ）の終点までの延長長さ（ｄ２）は通常１ｍｍ〜４．２ｍｍである。４．２ｍｍ超過の場合には、手術の際に挿入し難くなり、オプテック（Ｏｐｔｉｃ）部（１２１）がとても小さくなるという問題点があり、１ｍｍ未満の場合には支持台（１２５）が毛樣小帶の第２小帶（１７１）が水晶体嚢（Ｃａｐｓｕｌａｒ  Ｓａｃ）に連結される地点より内側に設けられ、毛様体筋から発生して毛樣小帶の動きに従って伝達される力を眼内レンズ（１１０）に適切に伝達することができないため、眼内レンズ（１１０）の体積変化が十分に行われないという問題点がある。この際、第１面の水晶体の視軸方向（Ｙ方向）の仮想平面を沿って切断した断面の全体長さは２ｍｍ〜８．４ｍｍである。一方、第１面（１１１）には眼内レンズ（１１０）が水晶体嚢（Ｃａｐｓｕｌａｒ  Ｓａｃ）によく装着されるように、表面粗さを高くし、あるいは別途の装着材を使用することができる。これにより、眼内レンズが安定な位置で固定できる。装着材としては例えば、組織グルー（Ｔｉｓｓｉｅ  Ｇｌｕｅ）またはグルー（Ｇｌｕｅ）が使用できる。
【００８６】
第２面（１１３）は眼内レンズ（１１０）の支柱（１２２）が結合する面である。水晶体の視軸方向（Ｙ方向）の仮想平面に沿って切断された前記眼内レンズの前記支持台（１２５）第２面の全体延長長さ（ｄ４）は第１面（１１１）の全体延長長さ（ｄ３＝ｄ１＋ｄ２）と同一または短くする。第２面（１１３）の視軸方向（Ｙ）に全体延長長さ（ｄ３）を第１面（１１１）の全体延長長さ（ｄ４＝ｄ１＋ｄ２）と同一または短くすることは、毛樣小帶から第１面（１１１）に伝達される力を第２面（１１３）に伝達する時に増幅または維持させるためである。
【００８７】
すなわち、第１面（１１１）に毛樣小帶からＦ１の力が伝達される場合、第２面（１１３）に伝達される力はＦ２（＝ｋＦ１，ｋ≧１）となるためである。この際、ｋはｄ３とｄ４の長さ比によって決められる定数である。ｄ３とｄ４の長さ比は患者の毛樣小帶の能力によって異なり、およそｄ４の長さはｄ３の長さの０．４〜１であることが好ましい。
【００８８】
一方、眼内レンズ（１１０）において、オプテック（Ｏｐｔｉｃ）部（１２１）はヘプテック（ＨＡＰＴＩＣ）部（１２３）の支柱（１２２）を構成する材料より柔軟な材料または薄い厚さで構成されることが好ましい。これは、毛様体筋から誘導された毛樣小帶の動きにより伝達される力により效率よくオプテック（Ｏｐｔｉｃ）部（１２１）の形状が変形を起こすためである。ここで柔軟だということは軟らかくて変形がよく起きるという意味である。
【００８９】
ヘプテック（ＨＡＰＴＩＣ）部（１２３）の支柱（１２２）は相対的にオプテック（Ｏｐｔｉｃ）部（１２１）より堅い（ｒｉｇｉｄ）材料で構成されるが、機械的変形が起きるように弾性及び復原力があるようにする。この場合、より小さな眼球の切開で手術が可能である。
【００９０】
この際、オプテック（Ｏｐｔｉｃ）部（１２１）とヘプテック（ＨＡＰＴＩＣ）部（１２３）とは前述した通り、それぞれお互いに異なる材質になされ、眼内レンズ（１１０）は複数の切れ（ｐｉｅｃｅ）で構成されることができる。また、オプテック（Ｏｐｔｉｃ）部（１２１）とヘプテック（ＨＡＰＴＩＣ）部（１２３）は同じ材質でなされるものの、ただし軟性の程度だけ異にして構成されることができる。
【００９１】
また、ヘプテック（ＨＡＰＴＩＣ）部（１２３）の支持台（１２５）とヘプテック（ＨＡＰＴＩＣ）部（１２３）の支柱（１２２）とは柔軟性が同一または異なることができ、二つ以上の切れで構成され、あるいは一体で構成されることができる。支持台（１２５）は毛樣小帶の形状変形に伴う後述する眼内レンズ支持体の体積変化を直接反映する部分において支柱（１２２）より柔軟性ある材料を使用する場合、支持台（１２５）の形状変形がさらに効率よくなるであろう。
【００９２】
眼内レンズが切れで構成される場合、各切れは接着剤、レーザー、熱を使用し接着することができる。
【００９３】
眼内レンズの材料はシリコーン（Ｓｉｌｉｃｏｎｅ）、シリコーンエラストマー（Ｓｉｌｉｃｏｎｅ  ｅｌａｓｔｏｍｅｒ）、シリコーンポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙｂｕｔｅｓｔｅｒ）、ＰＭＭＡ（ｐｏｌｙｍｅｔｈｙｌ  ｍｅｔｈａｃｒｙｌａｔｅ）、マイクロプレクス  ＰＭＭＡ  （Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、柔軟性アクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、  親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（ｂｕｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ  ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣ等が使用できる。
【００９４】
図７及び図８は本発明の第１実施例に係り、それぞれ遠距離と近距離を注視する時に毛樣小帶、眼内レンズ及び水晶体嚢（Ｃａｐｓｕｌａｒ  Ｓａｃ）の作用を説明するための説明図である。
【００９５】
毛樣小帶（１７０）は水晶体嚢（Ｃａｐｓｕｌａｒ  Ｓａｃ）（１８０）の外面に連結され、毛樣小帶（１７０）は赤道周囲の領域で連結される。本明細書では毛樣小帶（１７０）が連結される領域を毛樣小帶連結領域（Ｚ）という。
【００９６】
遠距離を注視する時には毛樣小帶（１７０）のうち水晶体嚢（Ｃａｐｓｕｌａｒ  Ｓａｃ）（１８０）の毛樣小帶連結領域（Ｚ）の中央に連結される第１小帶（１７３）はぴんと張っており、水晶体嚢（Ｃａｐｓｕｌａｒ  Ｓａｃ）（１８０）の毛樣小帶連結領域（Ｚ）赤道部の周辺に連結される第２小帶（１７１）は緩んでいる。これにより、水晶体嚢（Ｃａｐｓｕｌａｒ  Ｓａｃ）（１８０）の赤道部がＸ方向に伸びるようになって、内部に位置した弾性を持つ眼内レンズ（１１０）も同じ方向に伸びてより少し膨らむことになる。
【００９７】
近距離を注視する時には毛樣小帶（１７０）のうち水晶体嚢（Ｃａｐｓｕｌａｒ  Ｓａｃ）（１８０）の毛樣小帶連結領域（Ｚ）の中央に連結される第１小帶（１７３）は緩んでおり、水晶体嚢（Ｃａｐｓｕｌａｒ  Ｓａｃ）（１８０）の毛樣小帶連結領域（Ｚ）の周辺に連結される第２小帶（１７１）はぴんと張っている。これにより、水晶体嚢（Ｃａｐｓｕｌａｒ  Ｓａｃ）（１８０）の赤道部がＹ方向に膨らみ、内部に位置した弾性を持つ眼内レンズ（１１０）も同じ方向に伸びる。
【００９８】
このように本実施例に係る眼内レンズ（１１０）を使用する場合、眼内レンズ（１１０）の厚さが天然水晶体と同様に調節できるようにする。すなわち、天然的な水晶体の厚さが、毛樣小帶に連結された水晶体嚢（Ｃａｐｓｕｌａｒ  Ｓａｃ）（１８０）の作用によって調節できるのと同様に、本実施例に係る眼内レンズ（１１０）も厚さが調節できる。特に、本実施例では眼内レンズが機械的な変形だけを起こし、後述する第２実施例に比べて毛樣小帶の動きの伝達能力が弱いので、毛樣小帶の動きがより円滑な患者の場合に適する。
【００９９】
この際、より柔軟性ある材料にオプテック（Ｏｐｔｉｃ）部（１２１）とヘプテック（ＨＡＰＴＩＣ）部（１２３）の支持台（１２５）を形成すれば、眼内レンズ形状の変形が效率よく起きることができる。
【０１００】
次には、本発明の第２実施例を図９を参照して説明する。図９は本発明の一側面に係る眼内レンズ（Ｉｎｔｒａｏｃｕｌａｒ  Ｌｅｎｓ；ＩＯＬ）の１実施例を示す斜視図であり、図１０は図９のＩ−Ｉ’線に沿った断面図である。
【０１０１】
第２実施例に係る眼内レンズは第１実施例と重複する事項は簡略に説明し、差異点を中心に説明する。
【０１０２】
これによれば、オプテック（Ｏｐｔｉｃ）部（２２１）は中心部から赤道部に行くほど厚くなる第１オプテック（Ｏｐｔｉｃ）体（２２１ａ）及び前記第１オプテック（Ｏｐｔｉｃ）体（２２１ａ）と結合され少なくとも中心部においての厚さが前記第１オプテック（Ｏｐｔｉｃ）（２２１ａ）体よりさらに厚い第２オプテック（Ｏｐｔｉｃ）体（２２１ｂ）を含む。
【０１０３】
この際、前記第１オプテック（Ｏｐｔｉｃ）体（２２１ａ）は内面（２２１ａｂ）と外面（２２１ａａ）を含み、少なくとも内面（２２１ａｂ）は曲率が大きい球面であり、またはさらに非球面（ａｓｐｈｅｒｉｃ  ｓｕｒｆａｃｅ）であることが好ましい。
【０１０４】
オプテック（Ｏｐｔｉｃ）部（２２１）を第１オプテック（Ｏｐｔｉｃ）体（２２１ａ）と第２オプテック（Ｏｐｔｉｃ）体（２２１ｂ）の二つの切れで構成することはオプテック（Ｏｐｔｉｃ）部（２２１）の形状変形をより容易くするためである。
【０１０５】
第１オプテック（Ｏｐｔｉｃ）体（２２１ａ）の厚さ（Ｌ１）は水晶体視軸方向の仮想平面に沿って切断した断面において、前記第２オプテック（Ｏｐｔｉｃ）体（２２１ｂ）の厚さ（Ｌ２）より薄い。これはオプテック（Ｏｐｔｉｃ）部（２２１）に機械的または流体的な力が伝達される場合、実際水晶体で前面の形状変形がより多いことのように、第１オプテック（Ｏｐｔｉｃ）体（２２１ａ）の形状変形が第２オプテック（Ｏｐｔｉｃ）体（２２１ｂ）より誘導されるためである。
【０１０６】
第１オプテック（Ｏｐｔｉｃ）体（２２１ａ）と第２オプテック（Ｏｐｔｉｃ）体（２２１ｂ）との間には空いている流動空間（２３１）が設けられる。流動空間（２３１）の大きさ及び形状は第１オプテック（Ｏｐｔｉｃ）体（２２１ａ）と第２オプテック（Ｏｐｔｉｃ）体（２２１ｂ）の内面の形状と関連する。すなわち、流動空間（２３１）が小さい場合、少なくとも流動空間（２３１）は、第１オプテック（Ｏｐｔｉｃ）体（２２１ａ）に向け、前面と後面が膨らむが、それ故、前面の曲率が増加しながら凸レンズの形状に形成され始め、そして、流動空間（２５０）の体積が増加する場合、第１面は第１オプテック（Ｏｐｔｉｃ）体（２２１ａ）に向かって膨らむ凸レンズの形状で形成され、第２面は第２オプテック（Ｏｐｔｉｃ）体（２２１ｂ）に向かって膨らむ凸レンズの形状で形成される。
【０１０７】
本図面で流動空間は小さく形成され、全体的に前面と後面は瞳孔に向けて膨らんでいるが、前面の曲率がより大きい球面であり、あるいはもっと非球面なので、全体的に凸レンズ形状を有する。一方、第２オプテック（Ｏｐｔｉｃ）体（２２１ｂ）の厚さ（Ｌ２）において、前述した実施例のように流動空間がなく、機械的な変形だけを起こす場合は中心部がさらに厚いことが有利であるが、流動空間を具備する場合、すなわち、オプテック（Ｏｐｔｉｃ）体内部に前後面が非球面になって大きく形成された流動空間を確保すれば、中心部から赤道部に行くほど厚くなるようにすることが好ましい。これはまた、天然水晶体の構造を行なったことであり、オプテック（Ｏｐｔｉｃ）部の中央部が周辺部より形状変形を容易くして、天然水晶体ともっと類似に機能するようにするためである。
【０１０８】
ヘプテック（ＨＡＰＴＩＣ）部（２２３）はオプテック（Ｏｐｔｉｃ）部（２２１）の縁部から連結されるが、ヘプテック（ＨＡＰＴＩＣ）部（２２３）は複数の支柱（２２２）と支持台（２２５）とからなされる。ヘプテック（ＨＡＰＴＩＣ）部（２２３）の支柱（２２２）は少なくとも二つ以上が設けられ伝達される力を釣り合うように眼内レンズに伝達できるようにする。この際、支柱（２２２）の両端部（２２２ａ、２２２ｂ）は中央より断面積が広いことが好ましい。これにより、それぞれオプテック（Ｏｐｔｉｃ）部及び支持台に安定的に結合されるからである。
【０１０９】
支持台（２２５）は水晶体嚢（Ｃａｐｓｕｌａｒ  Ｓａｃ）から伝達される力をより釣り合うように伝達するための、支柱（２２２）のオプテック（Ｏｐｔｉｃ）部反対側端部（２２２ｂ）が連結される環状形状体であり、第１面（２１１）と第２面（２１３）を含む。
【０１１０】
この際、支持台（２２５）の形状は多様に変更でき、支柱（２２２）の端部（２２２ｂ）を少なくとも二つ以上連結することならば、その形状に制限されない。すなわち、図１１と同様に形成することも可能である。
【０１１１】
第１実施例と第２実施例に係る眼内レンズは毛樣小帶から伝達される力が眼内レンズ（２１０）に機械的に伝達され、眼内レンズ（２１０）のオプテック（Ｏｐｔｉｃ）部（２２１）の厚さを調節できるようになる。
【０１１２】
第２実施例においても眼内レンズの材料は同一に適用されることができ、その作用も当業者が第１実施例の記載によって容易に実施できることであるから、これに対する詳細な説明は略する。
【０１１３】
一方、より眼内レンズの形状の変形を效率よく成すため、本発明の第３実施例を説明する。図１２は本発明の第３実施例に係る眼内レンズの水晶体視軸方向の仮想平面を示す断面図である。
【０１１４】
第３実施例に係る眼内レンズ（３１０）は第１実施例または第２実施例の眼内レンズと類似の構造を持つが、眼内レンズ（３１０）内部に流体が充填される流動空間（３５０）を設け、前記流動空間（３５０）には流体が充填できるという点において差がある。
【０１１５】
この際、流動空間（３５０）は大きさ及び形状が多様に変形できる。流動空間（２３１）の大きさ及び形状は第１オプテック（Ｏｐｔｉｃ）体（２２１ａ）と第２オプテック（Ｏｐｔｉｃ）体（２２１ｂ）の内面の形状と関連する。流動空間（２３１）が小さいほど少なくとも流動空間（２３１）の前面及び背面が全て第１オプテック（Ｏｐｔｉｃ）体（２２１ａ）に向けて膨らんでいる凸レンズの形状に形成され始め、流動空間が大きくなるほど前面は第１オプテック（Ｏｐｔｉｃ）体（２２１ａ）に向けて膨らんで、背面は第２オプテック（Ｏｐｔｉｃ）体（２２１ｂ）に向けて膨らんでいる凸レンズの形状に形成される。
【０１１６】
本実施例と同様に、流体が充填される流動空間を持つ場合、前面及び背面が全て非球面であり、膨らんでいる凸レンズの形状に形成されることが好ましい。
【０１１７】
この際、第１オプテック（Ｏｐｔｉｃ）体（２２１ａ）及び第２オプテック（Ｏｐｔｉｃ）体（２２１ｂ）の厚さは中心部から赤道部に行くほど厚くなる。
【０１１８】
流動空間（３５０）に充填される流体は水、空気、シリコーン、粘弾性物質が用いられる。粘弾性物質の例としてはヒアルロン酸ナトリウム（Ｓｏｄｉｕｍ  ｈｙａｌｕｒｏｎａｔｅ）、コンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）などが用いられることができる。
【０１１９】
好ましく、流動空間（３３０）はオプテック（Ｏｐｔｉｃ）部（３２１）内部の第１空間部（３３１）、及び連結台（３２２）内部の第２空間部（３３３）、及び支持台（３２５）内部の第３空間部（３３５）になされることができる。第１空間部（３３１）、第２空間部（３３３）及び第３空間部（３３５）はお互いに連結され、あるいは連結されないこともあるが、お互いに連結される場合、流体的な力に係る眼内レンズ（３１０）の変形が容易である。  
【０１２０】
本実施例では第１空間部（３３１）、第２空間部（３３３）及び第３空間部（３３５）が連結している。これに伴い、内部に充填された流体は外力に係って流動空間（３３０）の第１空間部（３３１）、第２空間部（３３３）及び第３空間部（３３５）を流動する。
【０１２１】
流動空間（３３０）に充填される流体は水、空気、不活性気体、シリコーン、粘弾性物質が用いられる。不活性気体の例としては窒素、ヘリウム、ネオン、アルゴンなどであり、粘弾性物質の例としてはヒアルロン酸ナトリウム（Ｓｏｄｉｕｍ  ｈｙａｌｕｒｏｎａｔｅ）、コンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）などが用いられる。
【０１２２】
第１空間部（３３１）に気体や水が充填される時、低い屈折率のゆえにオプテック（Ｏｐｔｉｃ）部（３２１）が低い度数のレンズ役割もできるようになって、超高度近視の手術に利用されるマイナスレンズの製作も可能なことである。
【０１２３】
第２空間部（３３３）は支柱（３２２）に形成される空間であり、この時に支柱（３２２）は一種の連結管と同様の役割をして第１空間部（３３１）と第３空間部（３３５）との間で流体が流動できるようにする。第３空間部（３３５）は前述したように支持台（３２５）に形成される空間に、第３空間部（３３５）は水晶体嚢（Ｃａｐｓｕｌａｒ  Ｓａｃ）の体積変化を直接に反映する部分である。すなわち、流動空間（３３０）を設けることにより、眼内レンズ（３１０）は毛樣小帶から伝達される力に沿って流体の流動空間の内で流動が起きるようになる。例えば、流体が近距離を注視する場合、流体は眼内レンズ（３１０）のオプテック（Ｏｐｔｉｃ）部（３２１）の内部に集まるようになり、これによってオプテック（Ｏｐｔｉｃ）部（３２１）はより効率よく変形が発生する。
【０１２４】
図１３及び図１４は本発明の第３実施例に係り、それぞれ遠距離と近距離を注視する時、毛樣小帶、眼内レンズ及び水晶体嚢（Ｃａｐｓｕｌａｒ  Ｓａｃ）の作用を説明するための説明図である。
【０１２５】
遠距離を注視する時には毛樣小帶のうち水晶体嚢（Ｃａｐｓｕｌａｒ  Ｓａｃ）（３８０）の赤道部の中央に連結される第１小帶（３７３）はぴんと張っており、水晶体嚢（Ｃａｐｓｕｌａｒ  Ｓａｃ）（３８０）の赤道部の周辺に連結される第２小帶（３７１）は緩くなる。
【０１２６】
この際、水晶体嚢（Ｃａｐｓｕｌａｒ  Ｓａｃ）（３８０）の赤道部が水晶体の赤道方向（Ｘ方向）に伸びるようになって、水晶体嚢（Ｃａｐｓｕｌａｒ  Ｓａｃ）に接した眼内レンズ（３１０）の支持台の第１面（３１１）の形状も水晶体の半径方向に伸びるようになる。したがって、眼内レンズ（３１０）のオプテック（Ｏｐｔｉｃ）部（３２１）も同じ方向に伸びてオプテック（Ｏｐｔｉｃ）部（３２１）がより少なく膨らむことになる。
【０１２７】
同時に、眼内レンズ（３１０）の流動空間（３３０）に入っている流体も外力を受け、遠距離を注視する時には眼内レンズ（３１０）が水晶体の半径方向に伸びることになるので、流動空間（３３０）の流体が第１空間部（３３１）及び第２空間部（３３３）よりは第３空間部（３３５）に多く分布するようになる。これにより、さらに效率よく眼内レンズ（３１０）のオプテック（Ｏｐｔｉｃ）部（３２１；３２１ａ、３２１ｂ）の形状を変形させ、オプテック（Ｏｐｔｉｃ）部（３２１）がより少なく膨らむようにする。
【０１２８】
近距離を注視する時には毛樣小帶のうち水晶体嚢（Ｃａｐｓｕｌａｒ  Ｓａｃ）（３８０）の赤道部の中央に連結される第１小帶（３７３）は緩くなり、水晶体嚢（Ｃａｐｓｕｌａｒ  Ｓａｃ）（３８０）の赤道部の周辺に連結される第２小帶（３７１）はぴんと張ることになる。
【０１２９】
したがって，水晶体嚢（Ｃａｐｓｕｌａｒ  Ｓａｃ）（３８０）の赤道部が水晶体の視軸方向（Ｙ方向）に膨らむことになり、内部に位置した弾性を持つ眼内レンズ（３１０）も同じ方向（Ｙ方向）に伸びて近距離を見ることに適合した形状に変形する。
【０１３０】
同時に眼内レンズ（３１０）の流動空間に入っている流体も外力を受け、近距離を注視する時には眼内レンズ（３１０）の支持台の柔軟領域に力が加えられるので、第３空間部（３３５）の流体が第２空間部（３３３）を通し第１空間部（３３１）において集まるようになる。これにより、さらに效率よく眼内レンズ（３１０）のオプテック（Ｏｐｔｉｃ）部（３２１）の形状を変形させてオプテック（Ｏｐｔｉｃ）部が膨らむことになるようにする。
【０１３１】
また、オプテック（Ｏｐｔｉｃ）部（３２１）の第１空間部（３３１）に流体が集まる場合、第１オプテック（Ｏｐｔｉｃ）体（３２１ａ）の厚さが第２オプテック（Ｏｐｔｉｃ）体（３２１ｂ）の厚さより薄く形成されているので、オプテック（Ｏｐｔｉｃ）部（３２１）は第２オプテック（Ｏｐｔｉｃ）体（３２１ｂ）側から第１オプテック（Ｏｐｔｉｃ）体（３２１ａ）側にもっと膨らむことになる。これにより、実際眼の構造より類似に眼内レンズの変形が起きる。したがって、本実施例に係る眼内レンズは毛樣小帶から伝達される力が眼内レンズ（３１０）に機械的に伝達されるだけでなく、流圧的に伝達され眼内レンズ（３１０）のオプテック（Ｏｐｔｉｃ）部（３２１）の厚さが效率よく調節され、毛様体筋の能力が低下になった場合にも效果よく眼内レンズの形状を調節できる。
【０１３２】
すなわち、本実施例では流圧による作用力と合せて機械力による作用力が 相補的に作用する。より柔軟性のある材料やより薄い材料、またはより柔軟な媒質の流体を使用するほど、流圧によるオプテック（Ｏｐｔｉｃ）部（３２１）の変形はより大きくなり，より低い柔軟性の材料や、より厚い材料、またはよりよくない媒質の流体を使用するほど、機械力によるオプテック（Ｏｐｔｉｃ）部（３２１）の変形が大きくなる。
【０１３３】
機械力によるオプテック（Ｏｐｔｉｃ）部（３２１）の変形は支柱（３２２）のオプテック（Ｏｐｔｉｃ）部側端部（３２２ａ）によるオプテック（Ｏｐｔｉｃ）部（３２１）へ挿入される形状と位置によって作用力に差が出て、その作用力を大きくすればオプテック（Ｏｐｔｉｃ）部（３２１）の形状変化は大きくなるけれど安定性が低下し、その作用力を小さくすればオプテック（Ｏｐｔｉｃ）部（３２１）の形状変化は小さいけれど安全性はより優秀になる。
【０１３４】
機械力よりは流圧によるオプテック（Ｏｐｔｉｃ）部（３２１）の変形能力が遥かに大きいので、適当な材料と流体を選択することで眼内レンズの調節能力を調整することができる。
【０１３５】
調節能力がとても大きい眼内レンズはオプテック（Ｏｐｔｉｃ）部の過度な変形の繰り返しと薄い材質のため寿命が長続きしない短所はあるが、調節能力が著しく落ちた、すなわち、非常に年上の患者に適当である。したがって、本実施例に係る眼内レンズは毛樣小帶から伝達される力が眼内レンズに機械的及び流体的に伝えられ、眼内レンズのオプテック（Ｏｐｔｉｃ）部（３２１）の厚さを調節することができる。
【０１３６】
第３実施例においても眼内レンズの材料は同一に適用されることができる。
【０１３７】
図１５は本発明の第４実施例に係る眼内レンズの斜視図である。第４実施例は前述した実施例と違って連結台（４２２）がディスク形状の構造体に構成される。この場合、連結台（４２２）の端部に形成される支持台（４２５）はディスク形状構造体の外周全体にかけて形成される環状構造体になり、あるいは外周の一定区間にだけ形成されることができる。
【０１３８】
図１６は本発明の第５実施例に係る眼内レンズの斜視図である。第５実施例は前述した実施例等と違って連結台（５２２）がオプテック（Ｏｐｔｉｃ）部（５２１）の一区間にだけ連結され、分割されたディスク形状の構造体で構成される。この場合においても、連結台（５２２）の端部に形成される支持台（５２５）はディスク形状構造体の外周全体にかけて形成される環状構造体になり、あるいは外周の一定区間にだけ形成されることができる。
【０１３９】
図１７は本発明の第６実施例に係る眼内レンズの斜視図である。図１８、１９はそれぞれ図１７のＩ−Ｉ’線及びＩＩ−ＩＩ’線に沿った断面図だである。また、図２０は図１７の眼内レンズを水晶体赤道方向の仮想平面を沿って切断した断面図である。これによれば、本実施例に係る眼内レンズは第２支持台（６２７）を設けるという差異点がある。
【０１４０】
オプテック（Ｏｐｔｉｃ）部（６２１）は第１オプテック（Ｏｐｔｉｃ）体（６２１ａ）と、第２オプテック（Ｏｐｔｉｃ）体（６２１ｂ）を含み、ヘプテック（ＨＡＰＴＩＣ）部（６２３）は第１支持台（６２５）、第２支持台（６２７）及び支柱（６２２）を含んで構成される。
【０１４１】
オプテック（Ｏｐｔｉｃ）部（６２１）は中心部から赤道部に行くほど厚くなる第１オプテック（Ｏｐｔｉｃ）体（６２１ａ）と第２オプテック（Ｏｐｔｉｃ）体（６２１ｂ）を含む。
【０１４２】
この際、第１オプテック（Ｏｐｔｉｃ）体（６２１ａ）の後面と第２オプテック（Ｏｐｔｉｃ）体（６２１ｂ）の前面は非球面であることが好ましい。
【０１４３】
また、第１オプテック（Ｏｐｔｉｃ）体（６２１ａ）及び第２オプテック（Ｏｐｔｉｃ）体（６２１ｂ）の膨らみの程度（Ｃｏｎｖｅｘｉｔｙ）はお互いに異なることができる。すなわち、人の水晶体の前方面及び後方面とのようにお互い違うことができ、前面の曲率が背面の曲率より小さいことが好ましい。
【０１４４】
一方、オプテック（Ｏｐｔｉｃ）部（６２１）の形状は制限されないが、通常凸レンズ形状に設けられることが好ましく、この場合オプテック（Ｏｐｔｉｃ）部（６２１）の直径は全体眼内レンズ（６１０）の直径の０．２〜０．８倍に構成できる。
【０１４５】
オプテック（Ｏｐｔｉｃ）部（６２１）を第１オプテック（Ｏｐｔｉｃ）体（６２１ａ）と第２オプテック（Ｏｐｔｉｃ）体（６２１ｂ）の二つの切れで構成することはオプテック（Ｏｐｔｉｃ）部（６２１）の形状変形をより容易にするためである。この際、オプテック（Ｏｐｔｉｃ）部（６２１）の第１オプテック（Ｏｐｔｉｃ）体（６２１ａ）と第２オプテック（Ｏｐｔｉｃ）体（６２１ｂ）との間には流体が流動できる第１空間部（６３１）が含まれる。
【０１４６】
ヘプテック（ＨＡＰＴＩＣ）部（６２３）はオプテック（Ｏｐｔｉｃ）部（６２１）の内部に一部含まれて連結され、ヘプテック（ＨＡＰＴＩＣ）部（６２３）は複数支柱（６２２）と第１支持台（６２５）及び第２支持台（６２７）でなされる。ヘプテック（ＨＡＰＴＩＣ）部（６２３）の支柱（６２２）は少なくとも二つ以上が設けられ伝達される力を釣り合うように眼内レンズに伝達できるようにし、内部に流動空間である第２空間部（６３３）を設ける。
【０１４７】
第１支持台（６２５）は前述した実施例と同様に水晶体嚢（Ｃａｐｓｕｌａｒ  Ｓａｃ）から伝達される力をより釣り合うように伝達するために設けられ、水晶体嚢（Ｃａｐｓｕｌａｒ  Ｓａｃ）の内面と少なくとも一点で接触する第１面（６４１）と、前記第１面（６４１）の反対面である第２面（６４３）を有し、支柱（６２２）のオプテック（Ｏｐｔｉｃ）部反対側端部（６２２ｂ）が連結される環状形状体であり、外面は丸い形状が好ましく、内部には第３空間部（６３５）を含むことができる。
【０１４８】
前述したように、第１支持台（６２５）は水晶体の視軸方向（Ｙ方向）の仮想平面に沿って切断された断面において水晶体嚢（Ｃａｐｓｕｌａｒ  Ｓａｃ）の外面に毛樣小帶が連結された領域の断面長さの少なくとも３／４倍〜３倍の長さで設けられることが好ましい。
【０１４９】
第２支持台（６２７）は眼内レンズ（６１０）のヘプテック（ＨＡＰＴＩＣ）部支柱（６２２）のオプテック（Ｏｐｔｉｃ）部側端部（６２２ａ）をお互いに連結する。支柱（６２２）に安全性を付与し、支柱（６２２）を通じて伝達される力をオプテック（Ｏｐｔｉｃ）部（６２１）により均衡的に伝達する。この際、第２支持台（６２７）は支柱（６２２）のオプテック（Ｏｐｔｉｃ）部側の端部（６２２ａ）を連結し、あるいは端部辺りの支柱（６２２）をお互いに連結する構造体であることができる。また、第２支持台（６２７）がオプテック（Ｏｐｔｉｃ）部と接する面はオプテック（Ｏｐｔｉｃ）部の赤道面と対応される形状、すなわち、オプテック（Ｏｐｔｉｃ）部中心に向けて凹んでいる形状であることが好ましい。
【０１５０】
オプテック（Ｏｐｔｉｃ）部（６２１）とヘプテック（ＨＡＰＴＩＣ）部（６２３）の材料を異なるように使用する場合、支柱（６２２）のオプテック（Ｏｐｔｉｃ）部側の端部（６２２ａ）は機械的な調節力を極大化し、製作の時にオプテック（Ｏｐｔｉｃ）部（６２１）の安定のためオプテック（Ｏｐｔｉｃ）部（６２１）内部に一部分含まれることができる。この際、オプテック（Ｏｐｔｉｃ）部（６２１）は製作の時に第１オプテック（Ｏｐｔｉｃ）体（６２１ａ）及び第２オプテック（Ｏｐｔｉｃ）体（６２１ｂ）が合って圧搾され、流動空間と関係のない周辺部のオプテック（Ｏｐｔｉｃ）接合部（６２１ｃ）が形成される。
【０１５１】
したがって、オプテック（Ｏｐｔｉｃ）接合部（６２１ｃ）は機械的または流圧的な変形が少なくなり、第１オプテック（Ｏｐｔｉｃ）体（６２１ａ）と第２オプテック（Ｏｐｔｉｃ）体（６２１ｂ）がお互いに接着出来ない中心部がより効率的または集中的に機械的または流圧的な変形が発生するようになるものである。
【０１５２】
また、支柱（６２２）のオプテック（Ｏｐｔｉｃ）部に結合される形状は多様になされることができて、この形状によって機械力による調節力が差があることができる。
【０１５３】
すなわち、機械力によるオプテック（Ｏｐｔｉｃ）部（６２１）の変形は、支柱（６２２）のオプテック（Ｏｐｔｉｃ）部側の端部（６２２ａ）によるオプテック（Ｏｐｔｉｃ）部（６２１）の外周をくるむ形状と位置によって作用力の差があり、その作用力を大きくすればオプテック（Ｏｐｔｉｃ）部（６２１）の形状変化は大きくなるが安定性が低下し、その作用力を小さくすればオプテック（Ｏｐｔｉｃ）部の形状変化は小さいが安全性はより優秀になる。
【０１５４】
支柱（６２２）のオプテック（Ｏｐｔｉｃ）部側の端部（６２２ａ）は膨らんでいる円錐、膨らんでいる球、円柱、凹んでいる球、凹んでいる円錐の多様な形状を持つことができ、この形状によって前述した機械力による調節力が差がある。本実施例において、オプテック（Ｏｐｔｉｃ）部側の端部（６２２ａ）は（図１８）でオプテック（Ｏｐｔｉｃ）部（６２１）側に膨らんでいる円錐形状を持っており、（図２０）の拡大絵では円柱の形状を持っている。一方、ヘプテック（ＨＡＰＴＩＣ）部（６２３）の支柱（６２２）は相対的にオプテック（Ｏｐｔｉｃ）部（６２１）、第１支持台（６２５）及び第２支持台（６２７）より堅い（ｒｉｇｉｄ）材料で構成するが、機械的変形が起きることができるように弾性及び復原力があるようにする。また、第１支持台（６２５）の第２面（６４３）及び第２支持台（６２７）よりは第１支持台（６２５）の第１面（６４１）及びオプテック（Ｏｐｔｉｃ）部（６２１）を構成する材料の方がより柔軟な材料で構成されることが好ましい。
【０１５５】
これにより、毛様体筋から誘導されが毛樣小帶の動きにより伝達される力により、效率よくオプテック（Ｏｐｔｉｃ）部（６２１）の形状が変形を起こすためである。ここで柔軟だということは軟らかくて変形がよく起きるという意味である。これに加えて、第２面（６４３）の厚さは第１面（６４１）の厚さより厚く設けられている。これは第２面（６４３）をより不十分に柔軟にさせ、同時に支柱（６２２）を第１支持台（６２５）に堅固に付着させることができるホイールのような役割をするようにするためである。  
【０１５６】
また、オプテック（Ｏｐｔｉｃ）部（６２１）及びヘプテック（ＨＡＰＴＩＣ）部（６２３）内部には前述した実施例と同様に流動空間が設けられ、より毛樣小帶の動きを敏感に反映できる。
【０１５７】
前述した本発明の実施例に係る眼内レンズは前述した通り一体に製作され、あるいはいくつかの切れに製作されることができる。例えば、一体に製作する場合には各種のプラスチック成形方法を利用して製造でき、いくつかの切れに製造する場合にも各切れを接着剤、熱、レーザーなどを利用して接着させることによって容易に製造できる。
【０１５８】
本発明について好適な実施例を参照して記述及び説明したが、種々の変形または修正が本発明の要旨と範囲から逸脱することなく可能である。
【０１５９】
前述した本発明の権利範囲は請求の範囲で決められるべきであり、明細書の本文の記載に拘束されず、請求の範囲の均等範囲に属する変形及び変更はいずれも本発明の範囲に属する。
【符号の説明】
【０１６０】
１０  角膜
２０  紅彩
３０  瞳孔
４０  網膜
５０  水晶体
６０  毛様体筋
７０  毛樣小帶
７１  第２小帶
７３  第１小帶
８０  水晶体嚢（Ｃａｐｓｕｌａｒ  Ｓａｃ）
１１０、２１０  眼内レンズ
１１１、２１１  第１面
１１１ａ、２１１ａ  全面部
１１１ｂ、２１１ｂ  背面部
１１３、２１３  第２面
１２１、２２１  オプテック（Ｏｐｔｉｃ）部
１２１ａ、２２１ａ  第１オプテック（Ｏｐｔｉｃ）体
１２１ｂ、２２１ｂ  第２オプテック（Ｏｐｔｉｃ）体
１２３、２２３  ヘプテック（ＨＡＰＴＩＣ）部
１２５、２２５  支持台
【図１】
2010520010.tif 000003
【図２】
2010520010.tif 000004
【図３】
2010520010.tif 000005
【図４】
2010520010.tif 000006
【図５】
2010520010.tif 000007
【図６】
2010520010.tif 000008
【図７】
2010520010.tif 000009
【図８】
2010520010.tif 000010
【図９】
2010520010.tif 000011
【図１０】
2010520010.tif 000012
【図１１】
2010520010.tif 000013
【図１２】
2010520010.tif 000014
【図１３】
2010520010.tif 000015
【図１４】
2010520010.tif 000016
【図１５】
2010520010.tif 000017
【図１６】
2010520010.tif 000018
【図１７】
2010520010.tif 000019
【図１８】
2010520010.tif 000020
【図１９】
2010520010.tif 000021
【図２０】
2010520010.tif 000022
【国際調査報告】
2010520010.tif 000023
2010520010.tif 000024